(57)【要約】【課題】コンテンツの内容が当該コンテンツの種類に応じて把握し易いサムネイルを生成することができるサムネイル生成処理プログラム、サムネイル生成装置及びサムネイル生成方法と、前記コンテンツ及びサムネイルを表示する表示装置と、を提供する。【解決手段】表示装置によって表示されるコンテンツのサムネイルを生成するサムネイル生成装置に含まれるコンピュータを、コンテンツを取得する取得手段、コンテンツの種類を判別する判別手段、コンテンツの表示上において判別された種類に対応して予め定められた抽出範囲に相当する部分を、コンテンツから抽出する抽出手段、及び、抽出された部分の表示イメージに相当するサムネイルを生成する生成手段、として機能させる。【選択図】図２
2010170500.tif 000002
【特許請求の範囲】
【請求項１】
表示装置によって表示されるコンテンツのサムネイルを生成するサムネイル生成装置に含まれるコンピュータを、
前記コンテンツを取得する取得手段、
前記コンテンツ取得手段により取得された前記コンテンツの種類を判別する判別手段、
前記コンテンツの表示上において前記判別された種類に対応して予め定められた抽出範囲に相当する部分を、前記コンテンツから抽出する抽出手段、及び、
前記抽出された部分の表示イメージに相当する前記サムネイルを生成する生成手段、
として機能させることを特徴とするサムネイル生成処理プログラム。
【請求項２】
請求項１に記載のサムネイル生成処理プログラムにおいて、
前記サムネイル生成装置は、前記サムネイルの生成対象とする前記コンテンツの種類を指定するために用いられる種類指定入力手段を備え、
前記指定された種類を前記判別すべき種類として認識するように、前記判別手段としての前記コンピュータを機能させることを特徴とするサムネイル生成処理プログラム。
【請求項３】
請求項２に記載のサムネイル生成処理プログラムにおいて、
前記サムネイル生成装置は、前記コンテンツの生成元となる元コンテンツを指定するために用いられる元コンテンツ指定入力手段を更に備え、
前記種類指定入力手段は、前記指定された元コンテンツの前記種類を指定するために用いられ、
前記指定された元コンテンツのフォーマットを前記表示装置が表示可能なフォーマットに変換することによって、前記コンテンツを生成するコンテンツ生成手段として、前記コンピュータを更に機能させ、
前記生成されたコンテンツから前記指定された種類に対応する前記抽出範囲に相当する部分を抽出するように、前記抽出手段としての前記コンピュータを機能させることを特徴とするサムネイル生成処理プログラム。
【請求項４】
請求項１乃至３の何れか１項に記載のサムネイル生成処理プログラムにおいて、
前記サムネイル生成装置は、前記サムネイルとして抽出する範囲を前記種類毎に設定するために用いられる範囲設定入力手段と、記憶手段と、を備え、
前記設定された範囲を示す範囲情報を前記種類に対応付けて前記記憶手段に記憶させる記憶制御手段として、前記コンピュータを更に機能させ、
前記判別された種類に対応する前記範囲情報が示す範囲を前記抽出範囲とするように、前記抽出手段としての前記コンピュータを機能させることを特徴とするサムネイル生成処理プログラム。
【請求項５】
請求項１乃至４の何れか１項に記載のサムネイル生成処理プログラムにおいて、
少なくとも一つの前記種類に対応する前記抽出範囲が前記コンテンツの１画面表示の範囲内における一部の範囲として定められているとともに、前記１画面表示内における当該抽出範囲の位置が定められていることを特徴とするサムネイル生成処理プログラム。
【請求項６】
請求項７に記載のサムネイル生成処理プログラムにおいて、
前記種類が縦書きの電子文書である場合、当該電子文書の１ページ上における本文の記載領域の右上隅部分を含む当該本文の一部を前記抽出範囲とし、
前記種類が横書きの電子文書である場合、当該電子文書の１ページ上における本文の記載領域の左上隅部分を含む当該本文の一部を前記抽出範囲とするように定められていることを特徴とするサムネイル生成処理プログラム。
【請求項７】
請求項１乃至６の何れか１項に記載のサムネイル生成処理プログラムにおいて、
少なくとも一つの前記種類に対応する前記抽出範囲が前記コンテンツの１画面表示の範囲内における一部の範囲として定められているとともに、当該抽出範囲の縦横の長さの比が定められていることを特徴とするサムネイル生成処理プログラム。
【請求項８】
請求項７に記載のサムネイル生成処理プログラムにおいて、
前記種類が縦書きの電子文書または横書きの電子文書である場合、縦横のうち当該電子文書の行方向と同方向の長さが他方の長さよりも長い前記比が定められていることを特徴とするサムネイル生成処理プログラム。
【請求項９】
請求項１乃至８の何れか１項に記載のサムネイル生成処理プログラムにおいて、
前記コンテンツは、前記表示装置によってページ単位で表示され、
前記部分を抽出するページが前記種類毎に定められていることを特徴とするサムネイル生成処理プログラム。
【請求項１０】
請求項１乃至９の何れか１項に記載のサムネイル生成処理プログラムにおいて、
少なくとも一つの前記種類に対しては、前記サムネイルとして表示される部分の内容の表示拡大率が定められており、
前記表示拡大率に応じて前記抽出範囲を縮小させるように、前記抽出手段としての前記コンピュータを機能させ、
前記抽出された部分を前記表示拡大率に応じて拡大して前記サムネイルを生成するように、前記生成手段としての前記コンピュータを機能させることを特徴とするサムネイル生成処理プログラム。
【請求項１１】
請求項１乃至１０の何れか１項に記載のサムネイル生成処理プログラムにおいて、
少なくとも一つの前記種類に対しては、前記サムネイルとして表示される部分の内容の表示縮小率が定められており、
前記表示縮小率に応じて前記抽出範囲を拡大させるように、前記抽出手段としての前記コンピュータを機能させ、
前記抽出された部分を前記表示縮小率に応じて縮小して前記サムネイルを生成するように、前記生成手段としての前記コンピュータを機能させることを特徴とするサムネイル生成処理プログラム。
【請求項１２】
請求項１乃至１１の何れか１項に記載のサムネイル生成処理プログラムにおいて、
前記コンテンツと前記生成されたサムネイルとを関連付けて前記表示装置に送信する送信手段として、前記コンピュータを更に機能させることを特徴とするサムネイル生成処理プログラム。
【請求項１３】
表示装置によって表示されるコンテンツのサムネイルを生成するサムネイル生成装置であって、
前記コンテンツを取得する取得手段と、
前記コンテンツ取得手段により取得された前記コンテンツの種類を判別する判別手段と、
前記コンテンツの表示上において前記判別された種類に対応して予め定められた抽出範囲に相当する部分を、前記コンテンツから抽出する抽出手段と、
前記抽出された部分の表示イメージに相当する前記サムネイルを生成する生成手段と、
を備えることを特徴とするサムネイル生成装置。
【請求項１４】
表示装置によって表示されるコンテンツのサムネイルを生成するサムネイル生成方法であって、
前記コンテンツを取得する取得工程と、
前記コンテンツ取得工程において取得された前記コンテンツの種類を判別する判別工程と、
前記コンテンツの表示上において前記判別された種類に対応して予め定められた抽出範囲に相当する部分を、前記コンテンツから抽出する抽出工程と、
前記抽出された部分の表示イメージに相当する前記サムネイルを生成する生成工程と、
を有することを特徴とするサムネイル生成方法。
【請求項１５】
請求項１３に記載のサムネイル生成装置によって生成された前記サムネイルと、前記コンテンツと、を関連付けて記憶するコンテンツ記憶手段と、
前記記憶されたサムネイルを表示するサムネイル表示手段と、
前記表示されたサムネイルを選択するために用いられる入力手段と、
前記選択されたサムネイルに関連付けられた前記コンテンツを表示するコンテンツ表示手段と、
を備えることを特徴とする表示装置。
【発明の詳細な説明】
【技術分野】
【０００１】
本発明は、コンテンツとそのサムネイルとを表示する表示装置、当該サムネイルを生成するサムネイル生成処理プログラム、サムネイル生成装置及びサムネイル生成方法の技術分野に関する。
【背景技術】
【０００２】
現在、電子文書等のコンテンツを閲覧するための表示装置が広く知られている。この表示装置は、複数のコンテンツを記憶しておき、当該複数のコンテンツの中から閲覧したいコンテンツをユーザが選択することができるようになっている。かかる選択の際においては、コンテンツの内容を把握させること等を目的として、各コンテンツのサムネイルを表示させることが考えられる。
【０００３】
ところが、従来では、一般的にコンテンツ（の１ページ）全体を縮小してサムネイル表示を行っていたので、サムネイルからコンテンツの内容を把握しにくいという問題があった。こうした点に鑑み、特許文献１において、原画像に人の顔等のオブジェクトが含まれている場合には、当該オブジェクトの領域をサムネイル画像の対象とし、表示器の画素数に合わせてサムネイル画像を生成することが提案されている。この発明によれば、オブジェクトの領域が大きく表示されるので、視認性が向上するとされている。
【先行技術文献】
【特許文献】
【０００４】
【特許文献１】特開２００５−５６３９０号公報
【発明の概要】
【発明が解決しようとする課題】
【０００５】
しかしながら、表示装置が表示対象とするコンテンツとしては、画像以外にも様々な種類が存在する。それゆえ、特許文献１に記載の発明では、適応範囲に限界があった。
【０００６】
そこで、本発明は、以上の点に鑑みてなされたものであり、コンテンツの内容が当該コンテンツの種類に応じて把握し易いサムネイルを生成することができるサムネイル生成処理プログラム、サムネイル生成装置及びサムネイル生成方法と、前記コンテンツ及びサムネイルを表示する表示装置と、を提供することを課題とする。
【課題を解決するための手段】
【０００７】
上記課題を解決するために、本発明の一つの観点では、表示装置によって表示されるコンテンツのサムネイルを生成するサムネイル生成装置に含まれるコンピュータを、前記コンテンツを取得する取得手段、前記コンテンツ取得手段により取得された前記コンテンツの種類を判別する判別手段、前記コンテンツの表示上において前記判別された種類に対応して予め定められた抽出範囲に相当する部分を、前記コンテンツから抽出する抽出手段、及び、前記抽出された部分の表示イメージに相当する前記サムネイルを生成する生成手段、として機能させることを特徴とする。
【０００８】
よって、判別された種類に対応する抽出範囲に相当する部分がコンテンツから抽出され、抽出された部分の表示イメージに相当するサムネイルが生成されるので、抽出範囲を予め適切に定めておくことにより、コンテンツの内容が当該コンテンツの種類に応じて把握し易いサムネイルを生成することができる。
【０００９】
また、前記サムネイル生成処理プログラムにおいて、前記サムネイル生成装置は、前記サムネイルの生成対象とする前記コンテンツの種類を指定するために用いられる種類指定入力手段を備え、前記指定された種類を前記判別すべき種類として認識するように、前記判別手段としての前記コンピュータを機能させることを特徴とする。
【００１０】
よって、ユーザがコンテンツの種類を指定するので、種類を判別するためにそのコンテンツを解析する等の複雑な処理をする必要がない。
【００１１】
また、前記サムネイル生成処理プログラムにおいて、前記サムネイル生成装置は、前記コンテンツの生成元となる元コンテンツを指定するために用いられる元コンテンツ指定入力手段を更に備え、前記種類指定入力手段は、前記指定された元コンテンツの前記種類を指定するために用いられ、前記指定された元コンテンツのフォーマットを前記表示装置が表示可能なフォーマットに変換することによって、前記コンテンツを生成するコンテンツ生成手段として、前記コンピュータを更に機能させ、前記生成されたコンテンツから前記指定された種類に対応する前記抽出範囲に相当する部分を抽出するように、前記抽出手段としての前記コンピュータを機能させることを特徴とする。
【００１２】
よって、サムネイルの生成とともに、コンテンツについて表示装置が表示可能なフォーマットへの変換を行うことができる。
【００１３】
また、前記サムネイル生成処理プログラムにおいて、前記サムネイル生成装置は、前記サムネイルとして抽出する範囲を前記種類毎に設定するために用いられる範囲設定入力手段と、記憶手段と、を備え、前記設定された範囲を示す範囲情報を前記種類に対応付けて前記記憶手段に記憶させる記憶制御手段として、前記コンピュータを更に機能させ、前記判別された種類に対応する前記範囲情報が示す範囲を前記抽出範囲とするように、前記抽出手段としての前記コンピュータを機能させることを特徴とする。
【００１４】
よって、サムネイルとして表示する範囲を、ユーザによって種類毎に柔軟に設定することができる。
【００１５】
また、前記サムネイル生成処理プログラムにおいて、少なくとも一つの前記種類に対応する前記抽出範囲が前記コンテンツの１画面表示の範囲内における一部の範囲として定められているとともに、前記１画面表示内における当該抽出範囲の位置が定められていることを特徴とする。
【００１６】
よって、コンテンツの種類によっては、１画面表示内において所定位置の一部の範囲にその内容が良く表われている傾向があるので、当該一部を抜き出してサムネイルとすることによって、１画面表示全体を縮小してサムネイルとするよりも、コンテンツの内容を把握し易くすることができる。
【００１７】
また、前記サムネイル生成処理プログラムにおいて、前記種類が縦書きの電子文書である場合、当該電子文書の１ページ上における本文の記載領域の右上隅部分を含む当該本文の一部を前記抽出範囲とし、前記種類が横書きの電子文書である場合、当該電子文書の１ページ上における本文の記載領域の左上隅部分を含む当該本文の一部を前記抽出範囲とするように定められていることを特徴とする。
【００１８】
よって、電子文書では、本文の書き出し部分に主題等の電子文書の内容を良く表す文章が記述されている傾向があるので、その部分を抜き出してサムネイルとすることによって、１ページ全体を縮小してサムネイルとするよりも、コンテンツの内容を把握し易くすることができる。
【００１９】
また、前記サムネイル生成処理プログラムにおいて、少なくとも一つの前記種類に対応する前記抽出範囲が前記コンテンツの１画面表示の範囲内における一部の範囲として定められているとともに、当該抽出範囲の縦横の長さの比が定められていることを特徴とする。
【００２０】
よって、抽出範囲の縦横の長さの比によって内容の把握のし易さが変化する種類のコンテンツについては、サムネイルとする範囲を適切に限定しつつ、コンテンツの内容を把握し易くすることができる。
【００２１】
また、前記サムネイル生成処理プログラムにおいて、前記種類が縦書きの電子文書または横書きの電子文書である場合、縦横のうち当該電子文書の行方向と同方向の長さが他方の長さよりも長い前記比が定められていることを特徴とする。
【００２２】
よって、電子文書では、行方向に沿って文字が並べて書かれているので、縦横のうち行方向と同方向の長さが他方の長さよりも長いサムネイルを生成することで、書かれている文の意味を理解し易くすることができる。
【００２３】
また、前記サムネイル生成処理プログラムにおいて、前記コンテンツは、前記表示装置によってページ単位で表示され、前記部分を抽出するページが前記種類毎に定められていることを特徴とする。
【００２４】
よって、コンテンツの種類によっては、特定のページがその内容を良く表している傾向があるので、そのページを抜き出してサムネイルとすることによって、全種類一律に決められたページをサムネイルとするよりも、コンテンツの内容を把握し易くすることができる。
【００２５】
また、前記サムネイル生成処理プログラムにおいて、少なくとも一つの前記種類に対しては、前記サムネイルとして表示される部分の内容の表示拡大率が定められており、前記表示拡大率に応じて前記抽出範囲を縮小させるように、前記抽出手段としての前記コンピュータを機能させ、前記抽出された部分を前記表示拡大率に応じて拡大して前記サムネイルを生成するように、前記生成手段としての前記コンピュータを機能させることを特徴とする。
【００２６】
よって、単純にサムネイルにすると、サムネイルとして表示される内容が小さすぎて視認し難い種類のコンテンツについては、適切な拡大率で内容を拡大表示するサムネイルを生成することによって、コンテンツの内容を把握し易くすることができる。
【００２７】
また、前記サムネイル生成処理プログラムにおいて、少なくとも一つの前記種類に対しては、前記サムネイルとして表示される部分の内容の表示縮小率が定められており、前記表示縮小率に応じて前記抽出範囲を拡大させるように、前記抽出手段としての前記コンピュータを機能させ、前記抽出された部分を前記表示縮小率に応じて縮小して前記サムネイルを生成するように、前記生成手段としての前記コンピュータを機能させることを特徴とする。
【００２８】
よって、単純にサムネイルにすると、サムネイルとして表示される内容が大きすぎて視認し難い種類のコンテンツについては、適切な縮小率で内容を縮小表示するサムネイルを生成することによって、コンテンツの内容を把握し易くすることができる。
【００２９】
また、前記サムネイル生成処理プログラムにおいて、前記コンテンツと前記生成されたサムネイルとを関連付けて前記表示装置に送信する送信手段として、前記コンピュータを更に機能させることを特徴とする。
【００３０】
本発明の他の観点では、表示装置によって表示されるコンテンツのサムネイルを生成するサムネイル生成装置であって、前記コンテンツを取得する取得手段と、前記コンテンツ取得手段により取得された前記コンテンツの種類を判別する判別手段と、前記コンテンツの表示上において前記判別された種類に対応して予め定められた抽出範囲に相当する部分を、前記コンテンツから抽出する抽出手段と、前記抽出された部分の表示イメージに相当する前記サムネイルを生成する生成手段と、を備えることを特徴とする。
【００３１】
本発明の更に他の観点では、表示装置によって表示されるコンテンツのサムネイルを生成するサムネイル生成方法であって、前記コンテンツを取得する取得工程と、前記コンテンツ取得工程において取得された前記コンテンツの種類を判別する判別工程と、前記コンテンツの表示上において前記判別された種類に対応して予め定められた抽出範囲に相当する部分を、前記コンテンツから抽出する抽出工程と、前記抽出された部分の表示イメージに相当する前記サムネイルを生成する生成工程と、を有することを特徴とする。
【００３２】
本発明の更に他の観点では、前記サムネイル生成装置によって生成された前記サムネイルと、前記コンテンツと、を関連付けて記憶するコンテンツ記憶手段と、前記記憶されたサムネイルを表示するサムネイル表示手段と、前記表示されたサムネイルを選択するために用いられる入力手段と、前記選択されたサムネイルに関連付けられた前記コンテンツを表示するコンテンツ表示手段と、を備えることを特徴とする。
【発明の効果】
【００３３】
本発明によれば、判別された種類に対応する抽出範囲に相当する部分がコンテンツから抽出され、抽出された部分の表示イメージに相当するサムネイルが生成されるので、抽出範囲を予め適切に定めておくことにより、コンテンツの内容が当該コンテンツの種類に応じて把握し易いサムネイルを生成することができる。
【図面の簡単な説明】
【００３４】
【図１】一実施形態に係る文書表示システムＳの概要構成の一例を示す図である。
【図２】一実施形態において、情報処理装置１から携帯型表示装置２に送信される文書データ、サムネイル画像及び関連付けデータのデータ構成の一例を示す図である。
【図３】一実施形態に係る情報処理装置１の概要構成の一例を示すブロック図である。
【図４】一実施形態において、文書データ１ページ内におけるサムネイル化部分とサムネイル方向との具体例を示す図である。
【図５】一実施形態に係る携帯型表示装置２の概要構成の一例を示すブロック図である。
【図６】一実施形態に係る情報処理装置１のＣＰＵ１０１のサムネイル化設定処理における処理の一例を示すフローチャートである。
【図７】一実施形態において、サムネイル化設定ウインドウ３００の画面表示例を示す図である。
【図８】一実施形態に係る情報処理装置１のＣＰＵ１０１の文書データイメージ化転送処理における処理の一例を示すフローチャートである。
【図９】一実施形態において、文書種別設定ウインドウ４００の画面表示例を示す図である。
【図１０】一実施形態に係る携帯型表示装置２のＣＰＵ２０１の処理例を示すフローチャートである。
【発明を実施するための形態】
【００３５】
以下、本発明の最良の実施形態を図面に基づいて説明する。なお、以下に説明する実施の形態は、文書表示システムにおける情報処理装置に対して本発明を適用した場合の実施形態である。
【００３６】
［１．文書表示システムの構成等］
始めに、図１及び図２を参照して、本発明の一実施形態に係る文書表示システム全体の概要構成及び機能について説明する。
【００３７】
図１は、本実施形態に係る文書表示システムＳの概要構成の一例を示す図である。
【００３８】
図１に示すように、文書表示システムＳは、サムネイル生成装置の一例としての情報処理装置１と、表示装置の一例としての携帯型表示装置２と、を含んで構成されている。そして、情報処理装置１と携帯型表示装置２とは、例えば、ＵＳＢ（Universal Serial Bus）規格等に準拠したケーブル３を介して相互にデータを送受信可能である。
【００３９】
携帯型表示装置２は、例えば電子ペーパー等の、携帯可能な表示装置であり、コンテンツの一例としての文書データを表示する。
【００４０】
情報処理装置１は、様々な種類のオリジナルの文書データや画像データのフォーマットを携帯型表示装置２が表示可能なフォーマットに変換する（携帯型表示装置２が表示可能なフォーマットの文書データとして生成する）。この携帯型表示装置２としては、例えば、パーソナルコンピュータ等を適用することができる。また、情報処理装置１は、文書データの一部を抽出してサムネイル画像を生成する。このサムネイル画像を生成する際において、文書データの表示内容のうちサムネイル画像を生成（以下、「サムネイル化」ともいう）する範囲等は、文書データの種別（以下、「文書種別」という）毎にユーザが設定することができる。
【００４１】
生成された文書データとサムネイル画像とは、情報処理装置１により関連付けられてケーブル３を介して携帯型表示装置２に送信される。なお、文書データ及びサムネイル画像は、無線通信により送信されても良いし、情報処理装置１によってメモリカード等に記録されて携帯型表示装置２により読み込まれるようにしても良い。
【００４２】
図２は、情報処理装置１から携帯型表示装置２に送信される文書データ、サムネイル画像及び関連付けデータのデータ構成の一例を示す図である。
【００４３】
文書表示システムＳにおいては、携帯型表示装置２が表示可能な文書データのフォーマットとして、例えば、ビットマップ形式が採用されている。以下、この形式の文書データを、「イメージデータ」という。このイメージデータは、文書データのページ毎に存在する。また、イメージデータとサムネイル画像とを関連付けする情報として、関連付けデータが情報処理装置１によって生成される。関連付けデータには、文書データのタイトル、文書データの総ページ数、識別コード、タイムゾーン、作成日、作成者、備考、有効期限、イメージデータ管理情報及びサムネイル画像管理情報等が設定される。イメージデータ管理情報としては、イメージデータのファイル名、イメージデータのデータサイズ（バイト数）、イメージデータの横幅（ピクセル数）、イメージデータの高さ（ピクセル数）が設定される。なお、文書データが複数のページを有する場合には、イメージデータ管理情報はページ毎（イメージデータ毎）に設定される。また、サムネイル画像管理情報としては、サムネイル画像のファイル名、サムネイル画像のデータサイズ（バイト数）、サムネイル画像の横幅（ピクセル数）、サムネイル画像の高さ（ピクセル数）が設定される。
【００４４】
そして、関連付けデータ、イメージデータ及びサムネイル画像を受信した携帯型表示装置２は、関連付けデータに基づいて、サムネイル画像を文書データの一覧として画面に表示させ、ユーザによって選択されたサムネイル画像に関連付けられたイメージデータとしての文書データを画面に表示する。
【００４５】
［２．情報処理装置の構成等］
次に、図３を参照して、情報処理装置１の構成及び機能について説明する。
【００４６】
図３は、本実施形態に係る情報処理装置１の概要構成の一例を示すブロック図である。
【００４７】
図３に示すように、情報処理装置１は、情報処理装置１全体を統括制御するＣＰＵ（Central Processing Unit）１０１と、ファームウエア等を記憶するＲＯＭ（Read Only Memory）１０２と、ＣＰＵ１０１の制御処理に必要なデータを一時的に記憶するＲＡＭ（Random Access Memory）１０３と、ハードディスク及びハードディスクドライブ等により構成されるハードディスク装置１０４と、種類指定入力手段、元コンテンツ指定入力手段及び範囲設定入力手段としてユーザによって操作されるキーボード１０５及びマウス１０６と、ユーザ操作によってキーボード１０５またはマウス１０６から出力された指示情報をＣＰＵ１０１に供給する入力Ｉ／Ｆ１０７（インターフェース）と、例えば、液晶表示パネル等により構成され、各種情報を画面に表示する表示部１０８と、ＣＰＵ１０１からの指示に基づき表示部１０８による表示を制御する表示コントローラ１０９と、を備えている。
【００４８】
また、情報処理装置１は、メモリカードドライブ等により構成され、ＣＰＵ１０１からの指示に基づきメモリカードドライブに挿入されたメモリカードＭＣ（例えば、ＳＤ（Secure Digital）メモリカードやマルチメディアカード等）に対してデータの書き込み及び読み出しを行うメモリカードＩ／Ｆ１１０と、ケーブル３により携帯型表示装置２と接続してデータを送受信するためのインターフェース処理を行う通信Ｉ／Ｆ１１１と、を備えている。そして、ＣＰＵ１０１と、ＲＯＭ１０２、ＲＡＭ１０３、ハードディスク装置１０４、入力Ｉ／Ｆ１０７、表示コントローラ１０９、メモリカードＩ／Ｆ１１０及び通信Ｉ／Ｆ１１１とは、バス１１２を介して相互に接続されている。
【００４９】
ハードディスク装置１０４には、所定のオペレーティングシステムが記憶されているとともに、各種アプリケーションプログラムが記憶されている。
【００５０】
また、ハードディスク装置１０４には、サムネイル化設定情報が記憶される。サムネイル化設定情報は、文書データからサムネイル化する範囲等を規定する情報であり、ユーザによって設定することが可能である。具体的に、サムネイル化設定情報には、サムネイル化部分、サムネイル方向、拡大縮小率及びサムネイル化ページが、文書種別毎に対応付けて設定される。文書種別としては、例えば、横書き文書、縦書き文書、一般書籍、絵本、新聞記事、写真、地図、カレンダー及びユーザによって追加された種別等が存在する。
【００５１】
サムネイル化部分は、文書データ１ページ（または、１画面表示）の範囲内でのサムネイル化する位置及び範囲を示す情報である。具体的に、サムネイル化部分としては、例えば、「全体」、「左上部」、「右上部」、「中心部」、「上半分」、「下半分」、「上段部」、「中断部」、「下段部」、「ヘッダ部」、「フッタ部」の何れかが設定される。また、サムネイル方向は、サムネイル化する範囲を示す矩形領域の横の辺の長さと縦の辺の長さとの比を示す情報である。具体的に、サムネイル方向には、例えば、１６対９（横長）、４対３（横長）、１対１（正方形）、９対１６（縦長）、３対４（縦長）等の何れかが設定される。
【００５２】
拡大縮小率は、文書データから抽出した範囲をサムネイル画像としたときに、そのサムネイル画像によって表示される内容の表示倍率を示す。具体的に、拡大縮小率としては、例えば、標準を１００％として、５０％〜２００％の間で設定される。抽出した範囲をそのままサムネイル化しすると、文書データの種類によってはサムネイル画像の表示内容が大きすぎたり小さすぎたりして、文書データの内容を視認しにくい場合があるので、このように、拡大縮小率を設定することができるようになっている。なお、サムネイル画像は通常並べて表示され、１個のサムネイル画像の表示範囲（ピクセル数）は制限されているので、サムネイル画像はその表示範囲に収まるように生成される。従って、文書データから抽出した範囲を縮小する場合、その拡大縮小率に比例してサムネイル化する領域は拡大し、文書データから抽出した範囲を拡大する場合、その拡大縮小率に反比例してサムネイル化する領域は縮小する。
【００５３】
サムネイル化ページは、サムネイル化するページを示す情報である。文書データの種類によって、その内容を的確に表すページが特定のページとなっている場合があるので、サムネイル化するページを設定することができるようになっている。
【００５４】
図４は、文書データ１ページ内におけるサムネイル化部分とサムネイル方向との具体例を示す図である。同図（ａ）乃至（ｄ）において、符号１０は文書データ１ページの表示イメージである。ページ中には符号２０で示される本文表示領域（本文あるいは文書データの実情報が表示される領域）が含まれる。本文表示領域に隣接して、ページの上端にはヘッダ、下端にはフッタ、右端には右余白、左端には左余白がそれぞれ位置している。
【００５５】
図４（ａ）には、「全体」（符号３１）、「左上部」（符号３２）、「右上部」（符号３３）及び「中心部」（符号３４）が示されている。「全体」は、１ページ全体をサムネイル化の範囲とすることを示す。「左上部」は、本文表示領域の左上部分をサムネイル化の範囲とすることを示す。この「左上部」が設定された場合におけるサムネイル化の領域は、ヘッダと左余白とに接する一方で、フッタと右余白とからは離れる。「左上部」は、例えば、本文が本文表示領域の左上部分から書き出される横書き文書に適している。「右上部」は、本文の右上部分をサムネイル化の範囲とすることを示す。この「右上部」が設定された場合におけるサムネイル化の領域は、ヘッダと右余白とに接する一方で、フッタと左余白とからは離れる。「左上部」は、例えば、本文が本文表示領域の左上部分から書き出される縦書き文書に適している。「中心部」は、本文の中心部分をサムネイル化の範囲とすることを示す。この「中心部」が設定された場合におけるサムネイル化の領域の中心は本文の中心に一致し、当該領域は、ヘッダ、フッタ、右余白及び左余白の何れからも離れる。
【００５６】
なお、図４（ａ）では、「左上部」、「右上部」及び「中心部」それぞれのサムネイル方向は、４対３、３対４及び１対１に設定されている。１６対９や４対３等は、例えば、文字が横に並べられて記述される横書き文書に適し、９対１６や３対４等は、例えば、文字が縦に並べられて記述される縦書き文書に適している。
【００５７】
図４（ｂ）には、「上半分」（符号３５）及び「下半分」（符号３６）が示されている。「上半分」は、本文表示領域の上半分をサムネイル化の範囲とすることを示す。この「上半分」が設定された場合におけるサムネイル化の領域は、ヘッダに接する。なお、当該領域が右余白と左余白とに接するか否かはサムネイル方向によって決まる（以下同様）。「下半分」は、本文表示領域の下半分をサムネイル化の範囲とすることを示す。この「下半分」が設定された場合におけるサムネイル化の領域は、フッタに接する。なお、図３（ｂ）では、「上半分」及び「下半分」のサムネイル方向は、何れも４対３に設定されている。
【００５８】
図４（ｃ）には、「上段部」（符号３７）、「中断部」（符号３８）及び「下段部」（符号３９）が示されている。「上段部」は、本文表示領域を上中下に３分割した場合においてその上段をサムネイル化の範囲とすることを示す。この「上段部」が設定された場合におけるサムネイル化の領域は、ヘッダに接する。「中段部」は、本文表示領域の中段をサムネイル化の範囲とすることを示す。この「中段部」が設定された場合におけるサムネイル化の領域は、ヘッダ及びフッタからは離れる。「下段部」は、本文表示領域の下段をサムネイル化の範囲とすることを示す。この「下段部」が設定された場合におけるサムネイル化の領域は、フッタに接する。なお、図３（ｃ）では、「上段部」、「中断部」及び「下段部」のサムネイル方向は、何れも１６対９に設定されている。
【００５９】
図４（ｄ）には、「ヘッダ部」（符号４０）及び「フッタ部」（符号４１）が示されている。「ヘッダ部」は、少なくともヘッダをサムネイル化の範囲とすることを示し、サムネイル方向によっては、本文表示領域の上段の一部もその範囲に含む。この「ヘッダ部」が設定された場合におけるサムネイル化の領域は、ページ上端に接する。「フッタ部」は、少なくともフッタをサムネイル化の範囲とすることを示し、サムネイル方向によっては、本文表示領域の下段の一部をその範囲に含む。この「フッタ部」が設定された場合におけるサムネイル化の領域は、ページ下端に接する。
【００６０】
ＣＰＵ１０１は、ＲＯＭ１０２やハードディスク装置１０４に記憶された各種プログラムを読み出し実行することにより、情報処理装置１全体を統括制御する。また、ＣＰＵ１０１は、ハードディスク装置１０４に記憶された文書データ管理プログラム（情報生成処理プログラムの一例）を読み出し実行することにより、取得手段、判別手段、抽出手段、生成手段、コンテンツ生成手段、記憶制御手段及び送信手段等として機能する。
【００６１】
具体的に、ＣＰＵ１０１は、文書種別毎にユーザによって設定されたサムネイル化部分、サムネイル方向、拡大縮小率及びサムネイル化ページ等を、サムネイル化設定情報としてハードディスク装置１０４に記憶する。
【００６２】
また、ＣＰＵ１０１は、ユーザによって指定されたオリジナルの文書データから、携帯型表示装置２が表示する文書データとしてのイメージデータを生成する。
【００６３】
また、ＣＰＵ１０１は、イメージデータを生成する際に、対象の文書データのサムネイル画像及び関連付けデータを生成する。ここで、ＣＰＵ１０１は、ユーザによって選択された文書種別を文書データの文書種別として認識する。また、ＣＰＵ１０１は、文書種別に対応するサムネイル化部分、サムネイル方向、拡大縮小率及びサムネイル化ページをサムネイル化設定情報から取得し、これらの情報に従ってサムネイル化の範囲を設定する。そして、ＣＰＵ１０１は、生成したイメージデータから設定範囲に相当する部分を抽出してサムネイル画像を生成する。
【００６４】
また、ＣＰＵ１０１は、生成したイメージデータ、サムネイル画像及び関連付けデータを、ユーザ操作に応じて携帯型表示装置２に転送する。
【００６５】
なお、各種プログラムは、例えば、ネットワークを介して所定のサーバ装置からダウンロードされるようにしても良いし、ＣＤ−ＲＯＭ等の記録媒体に記録されてドライブ装置を介して読み込まれるようにしても良い。
【００６６】
［３．携帯型表示装置の構成等］
次に、図５を参照して、携帯型表示装置２の構成及び機能について説明する。
【００６７】
図５は、本実施形態に係る携帯型表示装置２の概要構成の一例を示すブロック図である。
【００６８】
図５に示すように、携帯型表示装置２は、携帯型表示装置２全体を統括制御するＣＰＵ２０１と、ファームウエア等を記憶するＲＯＭ２０２と、各種制御プログラムやユーザ設定等のデータを記憶するフラッシュＲＯＭ２０３と、ＣＰＵ２０１の制御処理に必要なデータを一時的に記憶するＲＡＭ２０４と、カーソルキー、決定キー、電源スイッチ等から構成され、ユーザからの指示を指示情報としてＣＰＵ２０１に供給する操作キー２０５と、例えば、電気泳動表示パネルや液晶表示パネル等により構成され、イメージデータやサムネイル画像等を画面に表示する表示部２０６と、ＣＰＵ２０１からの指示に基づき表示部２０６による表示を制御する表示コントローラ２０７と、を備えている。
【００６９】
また、携帯型表示装置２は、例えばリチウムイオン電池等から構成されるバッテリー２０８と、バッテリー２０８に対する充電を制御する充電コントローラ２０９と、メモリカードドライブ等により構成され、ＣＰＵ２０１からの指示に基づきメモリカードドライブに挿入されたメモリカードＭＣに対してデータの書き込み及び読み出しを行うメモリカードＩ／Ｆ２１０と、ケーブル３により情報処理装置１と接続してデータを送受信するためのインターフェース処理を行う通信Ｉ／Ｆ２１１と、を備えている。そして、ＣＰＵ２０１と、ＲＯＭ２０２、フラッシュＲＯＭ２０３、ＲＡＭ２０４、操作キー２０５、表示コントローラ２０７、充電コントローラ２０９、メモリカードＩ／Ｆ２１０及び通信Ｉ／Ｆ２１１とは、バス２１２を介して相互に接続されている。
【００７０】
ＣＰＵ２０１は、ＲＯＭ２０２やフラッシュＲＯＭ２０３に記憶された各種プログラムを読み出し実行することにより、文書データの表示に関する各種処理を実行する。
【００７１】
例えば、ＣＰＵ２０１は、情報処理装置１から文書データのイメージデータ、サムネイル画像及び関連付けデータを受信し、メモリカードＭＣに記憶させる。また、ＣＰＵ２０１は、メモリカードＭＣに記憶されたサムネイル画像を文書データの一覧として画面に表示させ、ユーザによって選択されたサムネイル画像に対応するイメージデータをメモリカードＭＣから読み出し画面に表示させる。
【００７２】
なお、フラッシュＲＯＭ２０３に記憶される制御プログラムは、例えば、メモリカードＭＣに記憶されてメモリカードＩ／Ｆ２１０を介して更新されても良いし、通信Ｉ／Ｆ２１１を介して受信されて更新されても良い。
【００７３】
［４．文書データ閲覧システムの動作］
次に、図６乃至図１０を参照して、本実施形態に係る文書データ閲覧システムＳの動作について説明する。
【００７４】
図６は、本実施形態に係る情報処理装置１のＣＰＵ１０１のサムネイル化設定処理における処理の一例を示すフローチャートである。サムネイル化設定処理は、例えば、文書データ管理プログラムの起動後、ユーザ操作によってサムネイル化設定の要求がなされたときに開始される。先ず、ＣＰＵ１０１は、サムネイル化設定ウインドウ３００を画面に表示させる（ステップＳ１）。
【００７５】
図７は、サムネイル化設定ウインドウ３００の画面表示例を示す図である。サムネイル化設定ウインドウ３００には、文書種別毎にサムネイル化の設定を行うためのウインドウである。このサムネイル化設定ウインドウ３００には、サムネイル化部分選択メニュー３０１、サムネイル方向選択メニュー３０２、拡大縮小率設定バー３０３及びサムネイル化ページ入力ボックス３０４が、文書種別毎に設けられている。サムネイル化部分選択メニュー３０１は、サムネイル化部分を選択するためのプルダウンメニューである。また、サムネイル方向選択メニュー３０２は、サムネイル方向を選択するためのプルダウンメニューである。また、拡大縮小率設定バー３０３は、拡大縮小率を設定するためのスライダーバーである。また、サムネイル化ページ入力ボックス３０４は、サムネイル化ページを入力するためのテキストボックスである。
【００７６】
また、サムネイル化設定ウインドウ３００には、ユーザ設定文書種別選択メニュー３０５が設けられている。ユーザ設定文書種別選択メニュー３０５は、後述する文書種別設定ウインドウ４００においてユーザにより追加された文書種別の中からサムネイル化の設定を行う文書種別を設定するためのプルダウンメニューである。そして、サムネイル化設定ウインドウ３００には、このユーザ設定文書種別選択メニュー３０５に対応するサムネイル化部分選択メニュー３０１、サムネイル方向選択メニュー３０２、拡大縮小率設定バー３０３及びサムネイル化ページ入力ボックス３０４も設けられている。これによって、ユーザは、自らが追加した文書種別に対してもサムネイル化に関する設定を行うことができる。
【００７７】
更に、サムネイル化ウインドウ３００には、ＯＫボタン３０６及びキャンセルボタン３０７が設けられている。
【００７８】
なお、あくまでも一例ではあるが、文書種別毎の設定例は、図７に示されている。例えば、縦書き文書は、本文領域の右上端部分から縦方向に文字が書き出されるので、サムネイル化部分として、「右上部」が設定され、サムネイル方向として、「３対４」が設定されている。また、横書き文書は、本文領域の左上端部分から横方向に文字が書き出されるので、サムネイル化部分として、「左上部」が設定され、サムネイル方向として、「４対３」が設定されている。また、一般書籍は、本文が右上から書き出されていても左上から書き出されていても良いように、サムネイル化部分として、「上段部」が設定されている。また、絵本は、文章と絵とが大きく描かれるので、サムネイル化部分として、「全体」が設定されている。また、新聞記事は、縦書き文書であり且つ最初に見出しが書かれている場合が多いので、サムネイル化部分として、「右上部」が設定され、サムネイル方向として、「３対４」が設定されている。また、写真は、フッタに撮影日付等が表示される場合が多いので、サムネイル化部分として、「フッタ部」が設定されている。また、地図は、中心付近に目的とする地点が表示されている場合が多いので、サムネイル化部分として、「中心部」が設定され、サムネイル方向として、「１対１」が設定されている。また、カレンダーとして、例えば下から上にめくるタイプの紙のカレンダーとレイアウトが同じ（文書データとしての）カレンダーを想定した場合には、上半分に写真や絵が表示され、下半分に実際のカレンダーが表示される場合が多いので、サムネイル化部分として、「下半分」が設定され、サムネイル方向として、「４対３」が設定されている。
【００７９】
ここで、ユーザがキーボード１０５やマウス１０６を操作して、所望の文書種別のサムネイル化部分及びサムネイル方向を、対応するサムネイル化部分選択メニュー３０１及びサムネイル方向選択メニュー３０２で選択すると、ＣＰＵ１０１は、選択された内容を設定情報としてＲＡＭ１０３に記憶する（ステップＳ２、Ｓ３）。また、ユーザがキーボード１０５やマウス１０６を操作して、当該文書種別の拡大縮小率を拡大縮小率設定バー３０３で設定し、サムネイル化ページのページ番号をサムネイル化ページ入力ボックス３０４に入力すると、ＣＰＵ１０１は、設定及び入力された内容を設定情報としてＲＡＭ１０３に記憶する（ステップＳ４、Ｓ５）。なお、複数の文書種別に対して設定が行われる場合には、ステップＳ２〜Ｓ５の処理が繰り返される。
【００８０】
次いで、ＣＰＵ１０１は、設定内容が決定されたか否かを判定する（ステップＳ６）。このとき、ＣＰＵ１０１は、ユーザによってキャンセルボタン３０７が選択された場合には設定内容が決定されなかったと判定し（ステップＳ６：ＮＯ）、ＲＡＭ１０３に記憶した設定情報を破棄してサムネイル化設定処理を終了させる。一方、ＣＰＵ１０１は、ユーザによってＯＫボタン３０６が選択された場合には設定内容が決定されたと判定し（ステップＳ６：ＹＥＳ）、ＲＡＭ１０３に記憶した設定情報を文書種別と対応付けて、サムネイル化設定情報としてハードディスク装置１０４に記憶させて（ステップＳ７）、サムネイル化設定処理を終了させる。
【００８１】
図８は、本実施形態に係る情報処理装置１のＣＰＵ１０１の文書データイメージ化転送処理における処理の一例を示すフローチャートである。文書データイメージ化転送処理は、例えば、文書データ管理プログラムの起動後、ユーザ操作によってハードディスク装置１０４に記憶された各種のデータの中からフォーマットを変換したい文書データが選択されたときに開始される。先ず、ＣＰＵ１０１は、キーボード１０５やマウス１０６の操作によってユーザが選択した文書データをハードディスク装置１０４から読み出し入力する（ステップＳ１１）。なお、ハードディスク装置１０４に記憶された文書データは、周知の文書作成ソフトなどの他のアプリケーションプログラムで作成された文書データである（そのほか、ネットワーク上にある所定の文書データをユーザが選択した場合にそれをダウンロードして読み出してもよい、また、ＵＳＢメモリなどの可搬型記憶装置（メモリカードＭＣ等）から読み出してもよい）。
【００８２】
次いで、ＣＰＵ１０１は、入力した文書データの文書種別を設定する（ステップＳ１２）。具体的に、ＣＰＵ１０１は、文書種別設定ウインドウ４００を画面に表示させる。
【００８３】
図９は、文書種別設定ウインドウ４００の画面表示例を示す図である。文書種別設定ウインドウ４００は、文書種別を選択するためのウインドウである。この文書種別設定ウインドウ４００には、ラジオボタン４０１が文書種別毎に設けられている。ラジオボタン４０１は、入力された文書データの文書種別を選択するためのラジオボタンである。
【００８４】
また、文書種別設定ウインドウ４００には、文書種別入力ボックス４０２、追加ボタン４０３及び削除ボタン４０４が設けられている。文書種別入力ボックス４０２は、ユーザが追加する文書種別を入力するためのテキストボックスであり、当該ボックスに文書種別が入力された後、追加ボタン４０３が選択されると、当該文書種別がサムネイル化設定情報中に追加設定され、削除ボタン４０４が選択されると、当該文書種別がサムネイル化設定情報中から削除される。そして、文書種別設定ウインドウ４００には、文書種別入力ボックス４０２に対応するラジオボタン４０１も設けられている。これによって、ユーザは、新しい文書種別（例えば、電子メール等）を、サムネイル化する文書データの文書種別として選択することができる。
【００８５】
更に、文書種別設定ウインドウ４００には、ＯＫボタン４０５及びキャンセルボタン４０６が設けられている。
【００８６】
ここで、ＣＰＵ１０１は、イメージデータ化要求がなされたか否かを判定する（ステップＳ１３）。このとき、ＣＰＵ１０１は、ユーザによってキャンセルボタン４０６が選択された場合にはイメージデータ化要求がなされなかったと判定し（ステップＳ１３：ＮＯ）、文書データイメージ化転送処理を終了させる。
【００８７】
一方、ＣＰＵ１０１は、ユーザによってＯＫボタン４０５が選択された場合にはイメージデータ化要求がなされたと判定し（ステップＳ１３：ＹＥＳ）、ラジオボタン４０１によって選択された文書種別を、入力した文書データの文書種別として設定する。
【００８８】
次いで、ＣＰＵ１０１は、入力した文書データからそのイメージデータを生成して、ハードディスク装置１０４に記憶させると（ステップＳ１４）。生成したイメージデータと設定した文書種別に対応するサムネイル化設定情報とに基づいて、サムネイル画像を生成する（ステップＳ１５）。具体的に、ＣＰＵ１０１は、イメージデータから文書種別に対応するサムネイル化ページが示すページに相当する範囲を特定する。また、ＣＰＵ１０１は、文書種別に対応するサムネイル方向が示す縦横比の矩形の領域を設定し、同じく文書種別に対応する拡大縮小率が示す縮小率または拡大率に応じて当該領域を拡大または縮小する。次いで、ＣＰＵ１０１は、特定したページの範囲において、文書種別に対応するサムネイル化部分が示す位置に、大きさを調整した領域を合わせる。そして、ＣＰＵ１０１は、生成したイメージデータから当該領域に相当するビットマップデータを抽出する。更に、ＣＰＵ１０１は、抽出したビットマップデータの縦横のピクセル数がそれぞれ所定のピクセル数の範囲の収まるように当該ビットマップデータを拡大または縮小してサムネイル画像として生成し、ハードディスク装置１０４に記憶させる。
【００８９】
ＣＰＵ１０１は、サムネイル画像を生成した後、生成したイメージデータとサムネイル画像とを関連付ける関連付けデータを生成し、ハードディスク装置１０４に記憶させる（ステップＳ１６）。このとき、ＣＰＵ１０１は、イメージデータのファイル名とサムネイル画像のファイル名とを関連付けデータ中に設定する。
【００９０】
次いで、ＣＰＵ１０１は、携帯型表示装置２への転送要求がなされたか否かを判定する（ステップＳ１７）。このとき、携帯型表示装置２は、ユーザ操作によって転送要求がなされなかった場合には（ステップＳ１７：ＮＯ）、文書データイメージ化転送処理を終了させる。
【００９１】
一方、ＣＰＵ１０１は、ユーザ操作によって転送要求がなされた場合には（ステップＳ１７：ＹＥＳ）、ケーブル３を介して携帯型表示装置２に転送開始コマンドを送信し（ステップＳ１８）、生成したイメージデータ、サムネイル画像及び関連付けデータをケーブル３を介して携帯型表示装置２に転送する（ステップＳ１９）。
【００９２】
次いで、ＣＰＵ１０１は、転送が終了したか否かを判定し（ステップＳ２０）、転送が終了していない場合には（ステップＳ２０：ＮＯ）、転送を継続し（ステップＳ１９）、転送が終了した場合には（ステップＳ２０：ＹＥＳ）、ケーブル３を介して携帯型表示装置２に転送終了コマンドを送信し（ステップＳ２１）、転送が完了した旨を示すメッセージを報知（例えば、画面に表示）する（ステップＳ２２）。ＣＰＵ１０１は、この処理を終えると、文書データイメージ化転送処理を終了させる。
【００９３】
なお、ＣＰＵ１０１は、生成したサムネイル画像のプレビューを表示しても良い。例えば、ＣＰＵ１０１は、ユーザ操作によってプレビューメニューが選択されると、ユーザによって選択された文書データのサムネイル画像を画面に表示させる。この場合におけるサムネイル画像生成までの処理内容は、例えば、ステップＳ１１〜Ｓ１５の処理内容と同様でも良い。
【００９４】
図１０は、本実施形態に係る携帯型表示装置２のＣＰＵ２０１の処理例を示すフローチャートである。図１０に示す処理は、携帯型表示装置２から転送開始コマンドを受信したときに開始される。先ず、ＣＰＵ２０１は、情報処理装置１からケーブル３を介して転送されてきたイメージデータ、サムネイル画像及び関連付けデータを受信し、順次メモリカードＭＣに記憶させる（ステップＳ３１）。
【００９５】
次いで、ＣＰＵ２０１は、携帯型表示装置２から転送終了コマンドを受信したか否かを判定し（ステップＳ３２）、転送終了コマンドを受信していない場合には（ステップＳ３２：ＮＯ）、イメージデータ、サムネイル画像及び関連付けデータの受信を継続し（ステップＳ３１）、転送終了コマンドを受信した場合には（ステップＳ３２：ＹＥＳ）、メモリカードＭＣに記憶されている各関連付けデータを読み出して、サムネイル画像選択画面を表示させる（ステップＳ３３）。具体的に、ＣＰＵ２０１は、サムネイル画像選択画面として、各関連付けデータに設定されているサムネイル画像のファイル名に基づいて、サムネイル画像をメモリカードＭＣからそれぞれ読み出し、当該各サムネイル画像を、文書データの一覧として表示する。
【００９６】
次いで、ＣＰＵ２０１は、操作キー２０５からの指示情報に基づき、画面に表示されている何れかのサムネイル画像が選択されたか否かを判定する（ステップＳ３４）。このとき、ＣＰＵ２０１は、例えば、ユーザによってキャンセルが選択された場合には、サムネイル画像が選択されなかったと判定し（ステップＳ３４：ＮＯ）、本処理を終了させる。
【００９７】
一方、ＣＰＵ２０１は、ユーザによって何れかのサムネイル画像が選択された場合には（ステップＳ３４：ＹＥＳ）、選択されたサムネイル画像の関連付けデータを参照し（ステップＳ３５）、選択されたサムネイル画像に関連付けられた文書データの所定ページ（例えば、最初の１ページ目）のイメージデータを特定する（ステップＳ３６）。そして、ＣＰＵ２０１は、特定したイメージデータを画面に表示させる（ステップＳ３７）。
【００９８】
その後、ＣＰＵ２０１は、ユーザ操作に応じてページを切り替えて、イメージデータを画面に表示させる。そして、ユーザ操作によって表示の終了が要求されると、本処理を終了させる。
【００９９】
なお、サムネイル画像選択画面の表示（及びそれに続くユーザ選択、イメージデータの表示）は、転送開始コマンドの受信時（イメージデータ、サムネイル画像及び関連付けデータ受信時）だけではなく、別のタイミングでも行われる。また、転送開始コマンドの受信時の処理としては、転送終了コマンドを受信したところで終了させても良い。そして、ユーザの操作によってサムネイル画像選択画面が表示され、ユーザ選択によるイメージデータの表示が行われるようにしても良い。
【０１００】
以上説明したように、本実施形態によれば、情報処理装置１のＣＰＵ１０１が、文書データをハードディスク装置１０４等から取得し、取得した文書データの文書種別を判別し、文書データのイメージデータ上において文書種別に対応して予め設定されている範囲（サムネイル化部分、サムネイル方向、拡大縮小率に応じた矩形領域の大きさ、サムネイル化ページ）に相当する部分を、文書データから抽出し、抽出された部分の表示イメージに相当するサムネイル画像を生成するので、サムネイル化する範囲を予め適切に定めておくことにより、文書データの内容がその文書種別に応じて把握し易いサムネイル画像を生成することができる。
【０１０１】
また、ＣＰＵ１０１が、キーボード１０５やマウス１０６を用いてユーザによって選択された文書種別を、サムネイル画像の生成対象とする文書データの文書種別として認識するので、文書種別を判別するためにその文書データを解析する等の複雑な処理をする必要がない。
【０１０２】
また、ＣＰＵ１０１が、キーボード１０５やマウス１０６を用いてユーザによって指定されたオリジナルの文書データのフォーマットを当該文書データの表示イメージに相当するビットマップ形式に変換することによって、イメージデータとしての文書データを生成し、指定されたオリジナルの文書データに対してユーザによって選択された文書種別に対応する範囲に相当する部分をイメージデータから抽出するので、文書データについての携帯型表示装置２が表示可能なフォーマットへの変換と、サムネイル画像の生成と、を同時に行うことができる。
【０１０３】
また、ＣＰＵ１０１が、サムネイル化設定処理において、キーボード１０５やマウス１０６を用いてユーザによって文書種別毎に設定されたサムネイル化部分、サムネイル方向、拡大縮小率及びサムネイル化ページを、サムネイル化設定情報としてハードディスク装置１０４に記憶させ、文書データイメージ化転送処理において、ユーザによって選択された文書種別に対応するサムネイル化設定情報が示す範囲を、入力した文書データのサムネイル化する範囲とするので、サムネイル化する範囲を、ユーザによって文書種別毎に柔軟に設定することができる。
【０１０４】
また、１ページ内においてサムネイル化する範囲（領域）の位置がサムネイル化部分として文書種別毎に予め設定することができるので、１ページ内において所定位置の一部の範囲にその内容が良く表われている傾向がある文書種別に対しては、当該一部を抜き出してサムネイル画像とすることによって、１ページ全体を縮小してサムネイル画像とするよりも、文書データの内容を把握し易くすることができる。
【０１０５】
また、サムネイル化部分の矩形領域の縦横の長さをサムネイル方向として文書種別毎に予め設定することができるので、矩形領域の縦横の長さの比によって内容の把握のし易さが変化する文書種別の文書データについては、サムネイル画像とする範囲を適切に限定しつつ、文書データの内容を把握し易くすることができる。
【０１０６】
また、サムネイル化ページを文書種別毎に予め設定することができるので、特定のページがその内容を良く表している傾向がある文書種別の文書データについては、そのページを抜き出してサムネイル画像とすることによって、全文書種別一律に決められたページをサムネイル画像とするよりも、文書データの内容を把握し易くすることができる。
【０１０７】
また、拡大縮小率を文書種別毎に予め設定することができ、ＣＰＵ１０１が、設定された拡大縮小率が１００％よりも大きい場合には、その拡大縮小率に反比例させてサムネイル化する領域を縮小させ、且つ、当該縮小した領域から抽出したビットマップデータをその拡大縮小率に比例させて拡大させてサムネイル画像を生成し、設定された拡大縮小率が１００％よりも小さい場合には、その拡大縮小率に反比例させてサムネイル化する領域を拡大させ、且つ、当該縮小した領域から抽出したビットマップデータをその拡大縮小率に比例させて縮小させてサムネイル画像を生成するので、単純にサムネイル画像にすると、サムネイル画像として表示される内容が小さすぎたり大きすぎたりして視認し難い文書種別の文書データについては、適切な拡大縮小率で内容を拡大表示または縮小表示するサムネイル画像を生成することによって、文書データの内容を把握し易くすることができる。
【０１０８】
なお、上記実施形態においては、文書データの文書種別をユーザに選択させるようにしていたが、一部または全ての種別について、情報処理装置１が自動で判別しても良い。文書種別の判別方法としては、例えば、文書データのヘッダ情報を参照して判別したり、文書データのファイルの拡張子から判別する方法がある。
【０１０９】
また、上記実施形態においては、サムネイル化部分、サムネイル方向、拡大縮小率及びサムネイル化ページをユーザに設定させるようにしていたが、これらの一部または全てを固定値として予め定められていても良いし、一部または全ての文書種別について固定値として予め定められていても良い。
【０１１０】
例えば、縦書き文書に対しては、サムネイル化部分として、「右上部」が予め規定されていても良いし、サムネイル方向として、４対１６や３対４等の横よりも縦が長い矩形領域が予め規定されていても良い。縦書き文書は、本文領域の右上端部分から開始されるので、本文領域の右上部分をサムネイル画像とすることで、本文の内容を把握し易くすることができる。また、縦書き文書は、縦方向に文字が並べて記載されるので、縦が長いサムネイル画像とすることで、サムネイル画像によって表示される文字の縦の並びからその意味を把握し易くすることができる。
【０１１１】
また例えば、横書き文書に対しては、サムネイル化部分として、「左上部」が予め規定されていても良いし、サムネイル方向として、１６対４や４対３等の縦よりも横が長い矩形領域が予め規定されていても良い。横書き文書は、本文領域の左上端部分から開始されるので、本文領域の左上部分をサムネイル画像とすることで、本文の内容を把握し易くすることができる。また、横書き文書は、横方向に文字が並べて記載されるので、横が長いサムネイル画像とすることで、サムネイル画像によって表示される文字の横の並びからその意味を把握し易くすることができる。
【０１１２】
また、上記実施形態においては、情報処理装置１が文書データのフォーマットを変換するようにしていたが、フォーマットの変換を行なわない情報処理装置に対して本発明を適用しても良い。例えば、情報処理装置は、携帯型表示装置２が表示可能なフォーマットとなっている文書データ（イメージデータ等）を取得し、この文書データのサムネイル画像を生成するようにしても良い。
【符号の説明】
【０１１３】
１  情報処理装置
２  携帯型表示装置
１０１、２０１  ＣＰＵ
１０２、２０２  ＲＯＭ
２０３  フラッシュＲＯＭ
１０３、２０４  ＲＡＭ
１０４  ハードディスク装置
１０５  キーボード
１０６  マウス
１０７  入力Ｉ／Ｆ
２０５  操作キー
１０８、２０６  表示部
１０９、２０７  表示コントローラ
２０８  バッテリー
２０９  充電コントローラ
１１０、２１０  メモリカードＩ／Ｆ
１１１、２１１  通信Ｉ／Ｆ
１１２、２１２  バス
Ｓ  文書表示システム
【図１】
2010170500.tif 000003
【図２】
2010170500.tif 000004
【図３】
2010170500.tif 000005
【図４】
2010170500.tif 000006
【図５】
2010170500.tif 000007
【図６】
2010170500.tif 000008
【図７】
2010170500.tif 000009
【図８】
2010170500.tif 000010
【図９】
2010170500.tif 000011
【図１０】
2010170500.tif 000012